(57)【要約】【課題】複数画面表示を行う映像表示装置及びテレビジョン受像機において、操作性の向上を図る。【解決手段】テレビジョン受像機１００において、第１のアップダウンキー及び第２のアップダウンキーを備えるリモートコントローラ１を備え、映像表示手段は、第１の映像信号に基づく映像を表示部における第１のウィンドウに表示させるとともに、第２の映像信号に基づく映像を表示部における第２のウィンドウに表示させ、第１制御手段は、第１のアップダウンキーの操作に基づいて、第１のウィンドウに対する所定の制御を行い、第２制御手段は、第２のアップダウンキーの操作に基づいて、第２のウィンドウに対する所定の制御を行う。【選択図】図１
2009141424.tif 000002
【特許請求の範囲】
【請求項１】
第１の映像信号に基づく映像を表示部における第１のウィンドウに表示させるとともに、第２の映像信号に基づく映像を前記表示部における第２のウィンドウに表示させる映像表示手段と、
第１のアップダウンキー及び第２のアップダウンキーを備えるキー操作部と、
前記第１のアップダウンキーの操作に基づいて、所定の制御を行う第１制御手段と、
前記第２のアップダウンキーの操作に基づいて、所定の制御を行う第２制御手段と、
を備え、
前記第１制御手段は、前記第１のウィンドウに対する第１の制御を行い、
前記第２制御手段は、前記第２のウィンドウに対する第２の制御を行うことを特徴とする映像表示装置。
【請求項２】
前記映像表示手段は、デジタル放送信号に基づく一番組の映像を前記表示部における全画面領域に表示可能に構成され、
前記映像表示手段により、デジタル放送信号に基づく一番組の映像が前記表示部における全画面領域に表示される一画面表示が行われている場合に、前記第１制御手段は、メインチャンネルを順次切り替える制御を行い、前記第２制御手段は、サブチャンネルを順次切り替える制御を行うことを特徴とする請求項１に記載の映像表示装置。
【請求項３】
前記映像表示手段は、デジタル放送信号に基づく一番組の映像を前記表示部における全画面領域に表示可能に構成され、
当該映像表示装置において受信可能なチャンネルを記憶するチャンネル記憶手段と、
予め選択された特定チャンネルを記憶する特定チャンネル記憶手段と、
を備え、
前記映像表示手段により、デジタル放送信号に基づく一番組の映像が前記表示部における全画面領域に表示される一画面表示が行われている場合に、前記第１制御手段は、前記チャンネル記憶手段に記憶された前記チャンネルを順次切り替える制御を行い、前記第２制御手段は、前記特定チャンネル記憶手段に記憶された前記特定チャンネルを順次切り替える制御を行うことを特徴とする請求項１に記載の映像表示装置。
【請求項４】
第１のデジタル放送信号を受信する第１チューナと、第２のデジタル放送信号を受信する第２チューナと、を備え、前記第１のデジタル放送信号に基づく映像を表示部における第１のウィンドウに表示させるとともに、前記第２のデジタル放送信号に基づく映像を前記表示部における第２のウィンドウに表示させる映像表示手段と、
第１のアップダウンキー及び第２のアップダウンキーを備えるキー操作部と、
前記第１のアップダウンキーの操作に基づいて、所定の制御を行う第１制御手段と、
前記第２のアップダウンキーの操作に基づいて、所定の制御を行う第２制御手段と、
を備え、
前記映像表示手段により、前記表示部における前記第１のウィンドウに前記第１のデジタル放送信号に基づく映像が表示されるとともに、前記第２のウィンドウに前記第２のデジタル放送信号に基づく映像が表示される複数画面表示が行われている場合に、前記第１制御手段は、前記第１のウィンドウに対して、チャンネルを順次切り替える制御を行い、前記第２制御手段は、前記第２のウィンドウに対して、チャンネルを順次切り替える制御を行い、
前記映像表示手段により、第１のデジタル放送信号又は第２のデジタル放送信号に基づく一番組の映像が前記表示部における全画面領域に表示される一画面表示が行われている場合に、前記第１制御手段は、メインチャンネルを順次切り替える制御を行い、前記第２制御手段は、サブチャンネルを順次切り替える制御を行うことを特徴とするテレビジョン受像機。
【発明の詳細な説明】
【技術分野】
【０００１】
本発明は、複数画面表示を行う映像表示装置及びテレビジョン受像機に関する。
【背景技術】
【０００２】
従来、メインウィンドウにサブウィンドウを重ね合わせて表示させるＰＩＰ（picture-in-picture）表示や、メインウィンドウの隣にサブウィンドウを表示させるＰＯＰ（picture-on-picture）表示、画面を均等に分割して複数のウィンドウを表示させる分割画面表示等の複数画面表示を行う映像表示装置が知られている。
このような複数画面表示が可能な映像表示装置において、各ウィンドウを操作する場合、従来であれば、まず、操作対象のウィンドウを選択した上で、選択したウィンドウに対する操作を行うため、操作に手間がかかって操作性が悪いという問題があった。
【０００３】
そこで、例えば、１つのリモートコントローラから出力される、異なる２つのリモコンコードによって、各映像画面に対する操作を行うことが可能な映像出力装置が提案されている（特許文献１参照）。このリモートコントローラにはスライドスイッチが備わっており、スライドスイッチを左位置と右位置にスライドさせて、第１のリモコンコードによる指令信号と第２のリモコンコードによる指令信号とに出力を切り替える。
【特許文献１】特開２００７−７４３８４号公報
【発明の開示】
【発明が解決しようとする課題】
【０００４】
しかしながら、上記特許文献１であっても、操作対象のウィンドウを選択するために、スライドスイッチを左位置又は右位置にスライドさせる操作が必要である。従って、特許文献１であっても、操作対象のウィンドウを選択するための操作を省くことはできず、上述した操作性の問題を解決することはできない。
【０００５】
本発明の課題は、複数画面表示を行う映像表示装置及びテレビジョン受像機において、操作性の向上を図ることである。
【課題を解決するための手段】
【０００６】
上記課題を解決するため、請求項１に記載の発明は、映像表示装置において、第１の映像信号に基づく映像を表示部における第１のウィンドウに表示させるとともに、第２の映像信号に基づく映像を前記表示部における第２のウィンドウに表示させる映像表示手段と、
第１のアップダウンキー及び第２のアップダウンキーを備えるキー操作部と、
前記第１のアップダウンキーの操作に基づいて、所定の制御を行う第１制御手段と、
前記第２のアップダウンキーの操作に基づいて、所定の制御を行う第２制御手段と、
を備え、
前記第１制御手段は、前記第１のウィンドウに対する第１の制御を行い、
前記第２制御手段は、前記第２のウィンドウに対する第２の制御を行うことを特徴とする。
【０００７】
請求項２に記載の発明は、請求項１に記載の映像表示装置において、前記映像表示手段は、デジタル放送信号に基づく一番組の映像を前記表示部における全画面領域に表示可能に構成され、
前記映像表示手段により、デジタル放送信号に基づく一番組の映像が前記表示部における全画面領域に表示される一画面表示が行われている場合に、前記第１制御手段は、メインチャンネルを順次切り替える制御を行い、前記第２制御手段は、サブチャンネルを順次切り替える制御を行うことを特徴とする。
【０００８】
請求項３に記載の発明は、請求項１に記載の映像表示装置において、前記映像表示手段は、デジタル放送信号に基づく一番組の映像を前記表示部における全画面領域に表示可能に構成され、
当該映像表示装置において受信可能なチャンネルを記憶するチャンネル記憶手段と、
予め選択された特定チャンネルを記憶する特定チャンネル記憶手段と、
を備え、
前記映像表示手段により、デジタル放送信号に基づく一番組の映像が前記表示部における全画面領域に表示される一画面表示が行われている場合に、前記第１制御手段は、前記チャンネル記憶手段に記憶された前記チャンネルを順次切り替える制御を行い、前記第２制御手段は、前記特定チャンネル記憶手段に記憶された前記特定チャンネルを順次切り替える制御を行うことを特徴とする。
【０００９】
請求項４に記載の発明は、テレビジョン受像機において、第１のデジタル放送信号を受信する第１チューナと、第２のデジタル放送信号を受信する第２チューナと、を備え、前記第１のデジタル放送信号に基づく映像を表示部における第１のウィンドウに表示させるとともに、前記第２のデジタル放送信号に基づく映像を前記表示部における第２のウィンドウに表示させる映像表示手段と、
第１のアップダウンキー及び第２のアップダウンキーを備えるキー操作部と、
前記第１のアップダウンキーの操作に基づいて、所定の制御を行う第１制御手段と、
前記第２のアップダウンキーの操作に基づいて、所定の制御を行う第２制御手段と、
を備え、
前記映像表示手段により、前記表示部における前記第１のウィンドウに前記第１のデジタル放送信号に基づく映像が表示されるとともに、前記第２のウィンドウに前記第２のデジタル放送信号に基づく映像が表示される複数画面表示が行われている場合に、前記第１制御手段は、前記第１のウィンドウに対して、チャンネルを順次切り替える制御を行い、前記第２制御手段は、前記第２のウィンドウに対して、チャンネルを順次切り替える制御を行い、
前記映像表示手段により、第１のデジタル放送信号又は第２のデジタル放送信号に基づく一番組の映像が前記表示部における全画面領域に表示される一画面表示が行われている場合に、前記第１制御手段は、メインチャンネルを順次切り替える制御を行い、前記第２制御手段は、サブチャンネルを順次切り替える制御を行うことを特徴とする。
【発明の効果】
【００１０】
本発明によれば、映像表示装置において、映像表示手段により、第１の映像信号に基づく映像が表示部における第１のウィンドウに表示されるとともに、第２の映像信号に基づく映像が表示部における第２のウィンドウに表示され、第１のアップダウンキー及び第２のアップダウンキーを備えるキー操作部が備わり、第１制御手段により、第１のアップダウンキーの操作に基づいて、所定の制御が行われ、第２制御手段により、第２のアップダウンキーの操作に基づいて、所定の制御が行われ、第１制御手段は、第１のウィンドウに対する第１の制御を行い、第２制御手段は、第２のウィンドウに対する第２の制御を行う。
したがって、複数画面表示を行う映像表示装置及びテレビジョン受像機において、操作対象のウィンドウを選択するための操作が省略されることとなって、操作性の向上を図ることができる。
【発明を実施するための最良の形態】
【００１１】
（実施形態１）
以下、本発明の実施形態１を、図面を参照しながら説明する。
実施形態１では複数画面表示を行う映像表示装置として、２つの地上波デジタルテレビジョンチューナを搭載するテレビジョン受像機１００を例に説明を行う。
【００１２】
本実施形態１のテレビジョン受像機１００は、例えば、複数画面表示モードと一画面表示モードの、２つのモードを備える。本実施形態では、複数画面表示として、例えば、ＰＩＰ表示を行う。
複数画面表示（ＰＩＰ表示）モードは、表示部１３に、第１のウィンドウＡと第２のウィンドウＢの、２つのウィンドウ（図３（ａ）参照）が設けられるモードである。第１のウィンドウＡはディスプレイ全体に設定される。また、第２のウィンドウＢは第１のウィンドウＡの一部に設定され、第１のウィンドウＡの映像上に縮小映像を重ねて表示させる。
一方、一画面表示モードは、表示部１３において、ディスプレイ全体の全画面領域Ｆ（図３（ｂ）参照）に、一番組の映像を表示させるモードである。
なお、以下の説明では、複数画面表示において、第１のウィンドウＡに映出される映像を「メイン映像」と称し、第２のウィンドウＢに映出される映像を「サブ映像」と称する。
【００１３】
図１は、本実施形態１のテレビジョン受像機１００の要部構成を例示するブロック図である。
本実施形態１のテレビジョン受像機１００は、図１に示すように、ユーザが各種指示を入力するためのキー操作部としてのリモートコントローラ（以下、「リモコン」と称する）１と、このリモコン１により遠隔操作される本体部２とを備えて構成されている。
【００１４】
図２は、リモコン１の平面図である。図２に示すように、リモコン１は、ユーザが本体部２に対して各種指示を入力するための複数のキーを備える。リモコン１に備わる複数のキーは、例えば、電源キー１Ａ、それぞれに１〜１２の数字が割り当てられた１２個の数字キー１Ｂ、メニューキー１Ｃ、リターンキー１Ｄ、音声切替キー１Ｅ、音声をミュートするミュートキー１Ｆ、上下左右を指示するカーソルキー１Ｇ、決定キー１Ｈ、ボリュームアップダウンキー１Ｉ、一画面表示モードと複数画面表示モードとを切り替えるための画面表示切替キー１Ｊ、第１のアップダウンキーとしての第１のチャンネルアップダウンキー１Ｋ、第２のアップダウンキーとしての第２のチャンネルアップダウンキー１Ｌ等である。
【００１５】
リモコン１に備わるこれらのキーの各々には識別情報が割り当てられて、所定の記憶領域に記憶されている。このリモコン１において、ユーザによりキー操作が行われると、操作されたキーの識別情報が読み出されて、当該識別情報に対応するリモコン信号が生成される。そして、生成されたリモコン信号が図示しない送信部から送信され、本体部２の前面パネル等に設けられたリモコン信号受光部３において受信される。
【００１６】
本体部２は、例えば、図１に示すように、リモコン１からのリモコン信号を受信するリモコン信号受光部３、第１のデジタル放送信号（第１の映像信号、デジタル放送信号）を受信する第１チューナ４、第２のデジタル放送信号（第２の映像信号、デジタル放送信号）を受信する第２チューナ５、第１チューナ４により受信された第１のデジタル放送信号を復調する第１復調部６、第２チューナ５により受信された第２のデジタル放送信号を復調する第２復調部７、第１復調部６により復調された第１のデジタル放送信号をデコードする第１デコーダ部８、第２復調部７により復調された第２のデジタル放送信号をデコードする第２デコーダ部９、第１デコーダ部８から入力される第１のデジタル放送信号に基づく映像信号に対して所定の映像処理を行うメイン映像処理部１０、第２デコーダ部９から入力される第２のデジタル放送信号に基づく映像信号に対して所定の映像処理を行うサブ映像処理部１１、メイン映像処理部１０から入力される第１のデジタル放送信号に基づく映像信号とサブ映像処理部１１から入力される第２のデジタル放送信号に基づく映像信号とを合成して表示部１３に出力する合成部１２、合成部１２から出力される映像信号に基づく映像を表示させる表示部１３、テレビジョン受像機１００全体を統括制御する制御部１４等を備えて構成されている。
【００１７】
リモコン信号受光部３は、例えば、図示は省略するが、フォトダイオード、ＳＵＢＣＰＵ、増幅部、復調部、デコーダ等を備えて構成されており、リモコン１から送信されたリモコン信号を、前面パネルに設けられたフォトダイオードにおいて受信すると、ＳＵＢＣＰＵの制御により、増幅部により増幅した後に復調部において復調し、さらに、デコーダにより波形整形、誤り訂正等の各種処理を行って、制御部１４に対して出力する。制御部１４では、入力されたリモコン信号から識別情報を取得し、取得した識別情報に基づいて操作されたキーの判別を行う。
【００１８】
第１チューナ４及び第２チューナ５は、制御部１４からの制御信号に応じて、アンテナで受信された高周波の第１のデジタル放送信号又は第２のデジタル放送信号から、特定周波数帯の放送信号を取り出し、当該放送信号を所定の中間周波数を有する中間周波（ＩＦ）信号に変換して、第１復調部６又は第２復調部７に出力する。
【００１９】
第１復調部６及び第２復調部７は、制御部１４からの制御信号に従って、第１チューナ４から出力された第１のデジタル放送信号又は第２チューナ５から出力された第２のデジタル放送信号に対して、所定の復調方式（例えば、ＯＦＤＭ（Orthogonal Frequency Division Multiplexing;直交周波数分割多重）方式）による復調や、所定の誤り訂正方式による誤り訂正等の処理を実行し、トランスポートストリーム（TS）を生成して、第１デコーダ部８又は第２デコーダ部９に出力する。
第１デコーダ部８及び第２デコーダ部９は、例えば、図示は省略するが、第１復調部６又は第２復調部７から入力されたトランスポートストリームをＴＳデコーダにおいて、ビデオストリーム、オーディオストリーム、ＰＳＩ／ＳＩ（Program Specific Information/Service Information）等のデータストリームに分離するとともに、ビデオストリームをビデオデコーダに、オーディオストリームをオーディオデコーダに、さらに、データストリームに含まれる必要なデータを制御部１４に供給する。第１デコーダ部８及び第２デコーダ部９の各ビデオデコーダは、ＴＳデコーダから入力されたビデオストリームを所定の復号方式で復号し、逆ＤＣＴ変換や動き補償制御等を行い、映像データを生成してメイン映像処理部１０又はサブ映像処理部１１に出力する。
【００２０】
メイン映像処理部１０は、第１デコーダ部８から入力される第１のデジタル放送信号に基づく映像信号に対して所定の映像処理を行い、メイン映像用のＲＧＢ信号を生成して合成部１２に出力する。
サブ映像処理部１１は、スケーラ１１ａを備え、第２のデコーダ部から入力される第２のデジタル放送信号に基づく映像信号に対して所定の映像処理を行い、更に、スケーラ１１ａにおいて所定のアスペクト比で縮小処理を行うことにより、サブ映像用のＲＧＢ信号を生成して合成部１２に出力する。
【００２１】
合成部１２は、複数画面表示モードにおいて、図示しない同期分離回路からのメイン映像信号に基づいて生成された合成制御信号に基づく所定のタイミングで、メイン映像処理部１０から入力されるメイン映像信号と、サブ映像処理部１１から入力されるサブ映像信号とに入力を切り替えることにより、メイン映像にサブ映像を挿入させる合成処理を行って、表示部１３に出力させる。その結果、表示部１３において、ディスプレイ全体の第１のウィンドウＡにメイン映像が表示され、第１のウィンドウＡの一部に設けられた第２のウィンドウＢに、縮小されたサブ映像が表示される複数画面表示が行われることとなる。
また、合成部１２は、一画面表示モードにおいて、メイン映像処理部１０から入力される映像信号をそのまま表示部１３に出力させる。その結果、表示部１３において、ディスプレイ全体の全画面領域Ｆに映像が表示される一画面表示が実現することとなる。
【００２２】
図３は、表示部１３において行われる複数画面表示及び一画面表示を説明するための図である。
図３（ａ）は、複数画面表示（ＰＩＰ表示）を行う表示部１３を例示する図である。図３（ａ）に示すように、表示部１３には、ディスプレイ全体に第１のウィンドウＡが設けられるとともに、当該第１のウィンドウＡにおける一部の領域に第２のウィンドウＢが設けられている。そして、第１のウィンドウＡに第１のデジタル放送信号に基づくメイン映像が表示され、第２のウィンドウＢに、第２のデジタル放送信号に基づくサブ映像が、メイン映像と同じアスペクト比で縮小され、メイン映像に重ねられて表示されている。
また、図３（ｂ）は、一画面表示を行う表示部１３を例示する図である。図３（ｂ）に示すように、表示部１３には、ディスプレイ全体の全画面領域Ｆに第１のデジタル放送信号に基づく一番組の映像が表示されている。
【００２３】
第１チューナ４、第２チューナ５、第１復調部６、第２復調部７、第１デコーダ部８、第２デコーダ部９、メイン映像処理部１０、サブ映像処理部１１、合成部１２は、表示部１３において、上記に例示したような複数画面表示及び一画面表示を実現するための処理を実行することにより、後述する映像表示プログラム１４５ａとともに映像表示手段を構成する。
【００２４】
制御部１４は、ＣＰＵ（Central Processing Unit）１４１、計時部１４２、ＲＡＭ（Random Access Memory）１４３、ＥＥＰＲＯＭ（Electrically Programmable ROM）１４４、ＲＯＭ（Read Only Memory）１４５等を備えて構成されている。
【００２５】
ＣＰＵ１４１は、本体部２の各部から入力された入力信号や、リモコン１におけるキー操作によって入力された入力操作信号等に応じて、ＲＯＭ１４５に格納された各種プログラムを実行するとともに、実行にかかるプログラムに基づいて各部に出力信号を出力することにより、テレビジョン受像機１００の動作全般を統括制御する。
【００２６】
ＲＡＭ１４３は、ＣＰＵ１４１のワークエリアとして用いられ、ＣＰＵ１４１によって各種プログラムが実行される際に生じる処理結果や、入力されたデータ等を記憶する。
【００２７】
ＥＥＰＲＯＭ１４４は、例えば、設定記憶部１４４１及びチャンネルメモリ１４４２を備える。
【００２８】
設定記憶部１４４１は、各種設定情報を記憶し、例えば、設定された画面表示モード（即ち、一画面表示モード／複数画面表示モード）を記憶する。画面表示モードは、リモコン１における画面表示切替キー１Ｊにより設定可能である他、メニュー画面等においても設定することができる。
【００２９】
チャンネルメモリ１４４２は、本テレビジョン受像機１００において受信可能なデジタル放送のチャンネルを記憶する。
チャンネルメモリ１４４２は、例えば、図４に示すように、各チャンネルの物理チャンネル（physical channel）、メインチャンネル（main channel）、サブチャンネル（sub channel）を相互に対応づけて記憶する。
ここで、物理チャンネルとは、第１チューナ４及び第２チューナ５が選局を行う実際の周波数帯域に対応付けられたチャンネル番号である。また、メインチャンネルは、テレビジョン放送局やユーザの認識するチャンネル番号であり、各々が物理チャンネルに対応付けられている。更に、各メインチャンネルは、論理チャンネルであるサブチャンネルを複数含むことができる。
【００３０】
ＲＯＭ１４５は、プログラム格納エリアを備え、例えば、映像表示プログラム１４５ａ、第１制御プログラム１４５ｂ、第２制御プログラム１４５ｃ等を格納している。
【００３１】
映像表示プログラム１４５ａは、例えば、ＣＰＵ１４１に、第１のデジタル放送信号に基づく映像を表示部１３における第１のウィンドウＡに表示させるとともに、第２のデジタル放送信号に基づく映像を表示部１３における第２のウィンドウＢに表示させる機能を実現させるためのプログラムである。
具体的には、ＣＰＵ１４１は、設定記憶部１４４１に記憶されている画面表示モードが複数画面表示モードである場合に、本体部２に入力される第１のデジタル放送信号及び第２のデジタル放送信号に対して、第１チューナ４、第２チューナ５、第１復調部６、第２復調部７、第１デコーダ部８、第２デコーダ部９、メイン映像処理部１０、サブ映像処理部１１、合成部１２に上述した処理を行わせ、表示部１３における第１のウィンドウＡに、第１のデジタル放送信号に基づくメイン映像を表示させ、第１のウィンドウＡの一部に設けられた第２のウィンドウＢに、第２のデジタル放送信号に基づくサブ映像を表示させる。
また、映像表示プログラム１４５ａは、例えば、ＣＰＵ１４１に、設定記憶部１４４１に記憶されている画面表示モードが一画面表示モードである場合に、デジタル放送信号（例えば、第１デジタル放送信号）に基づく一番組の映像を表示部１３における全画面領域Ｆに表示させる機能を実現させるためのプログラムである。
ＣＰＵ１４１は、かかる映像表示プログラム１４５ａを実行することにより、第１チューナ４、第２チューナ５、第１復調部６、第２復調部７、第１デコーダ部８、第２デコーダ部９、メイン映像処理部１０、サブ映像処理部１１、合成部１２とともに、映像表示手段として機能する。
【００３２】
第１制御プログラム１４５ｂは、例えば、ＣＰＵ１４１に、第１のチャンネルアップダウンキー（第１のアップダウンキー）１Ｋの操作に基づいて、所定の制御を行う機能を実現させるためのプログラムである。
本第１制御プログラム１４５ｂは、表示部１３において一画面表示が行われている場合と、複数画面表示が行われている場合とで、異なる制御をＣＰＵ１４１に実行させる。
即ち、ＣＰＵ１４１は、第１制御プログラム１４５ｂの実行において、映像表示プログラム１４５ａの実行により、表示部１３における第１のウィンドウＡに第１のデジタル放送信号に基づく映像が表示されるとともに、第２のウィンドウＢに第２のデジタル放送信号に基づく映像が表示される複数画面表示が行われている場合に、ユーザによる第１のチャンネルアップダウンキー１Ｋの操作に基づいて、第１のウィンドウＡに対してチャンネルを順次切り替える制御（第１の制御）を行う。
また、ＣＰＵ１４１は、第１制御プログラム１４５ｂの実行において、映像表示プログラム１４５ａの実行により、第１のデジタル放送信号に基づく一番組の映像が表示部１３における全画面領域Ｆに表示される一画面表示が行われている場合に、ユーザによる第１のチャンネルアップダウンキー１Ｋの操作に基づいて、メインチャンネルを順次切り替える制御を行う。
ＣＰＵ１４１は、かかる第１制御プログラム１４５ｂを実行することにより、第１制御手段として機能する。
【００３３】
第２制御プログラム１４５ｃは、例えば、ＣＰＵ１４１に、第２のチャンネルアップダウンキー（第２のアップダウンキー）１Ｌの操作に基づいて、所定の制御を行う機能を実現させるためのプログラムである。
本第２制御プログラム１４５ｃは、表示部１３において一画面表示が行われている場合と、複数画面表示が行われている場合とで、異なる制御をＣＰＵ１４１に実行させる。
即ち、ＣＰＵ１４１は、第２制御プログラム１４５ｃの実行において、映像表示プログラム１４５ａの実行により、表示部１３における第１のウィンドウＡに第１のデジタル放送信号に基づく映像が表示されるとともに、第２のウィンドウＢに第２のデジタル放送信号に基づく映像が表示される複数画面表示が行われている場合に、ユーザによる第２のチャンネルアップダウンキー１Ｌの操作に基づいて、第２のウィンドウＢに対してチャンネルを順次切り替える制御（第２の制御）を行う。
また、ＣＰＵ１４１は、第２制御プログラム１４５ｃの実行において、映像表示プログラム１４５ａの実行により、第１のデジタル放送信号に基づく一番組の映像が表示部１３における全画面領域Ｆに表示される一画面表示が行われている場合に、ユーザによる第２のチャンネルアップダウンキー１Ｌの操作に基づいて、サブチャンネルを順次切り替える制御を行う。
ＣＰＵ１４１は、かかる第２制御プログラム１４５ｃを実行することにより、第２制御手段として機能する。
【００３４】
ここで、第１制御プログラム１４５ｂ及び第２制御プログラム１４５ｃの実行により行われるチャンネル切替処理について、より具体的に説明する。
【００３５】
例えば、表示部１３において、第１のウィンドウＡと第２のウィンドウＢが設けられる複数画面表示が行われている場合に、ユーザが、リモコン１の第１のチャンネルアップダウンキー１Ｋを操作する。すると、ＣＰＵ１４１は、第１のチャンネルアップダウンキー１Ｋの操作に基づいて、ディスプレイ全体に設けられた第１のウィンドウＡのチャンネルを順次切り替える。当該チャンネル切り替えにより、第１のウィンドウＡには、異なるチャンネルのメイン映像が順次切り替えられて表示されることとなる。
また、同様に、表示部１３において、第１のウィンドウＡと第２のウィンドウＢが設けられる複数画面表示が行われている場合に、ユーザが、リモコン１の第２のチャンネルアップダウンキー１Ｌを操作する。すると、ＣＰＵ１４１は、第２のチャンネルアップダウンキー１Ｌの操作に基づいて、第１のウィンドウＡの一部に設けられた第２のウィンドウＢのチャンネルを順次切り替える。当該チャンネル切り替えにより、第２のウィンドウＢには、異なるチャンネルのサブ映像が順次切り替えられて表示されることとなる。
なお、複数画面表示が行われている場合におけるチャンネル切替処理は、サブチャンネルは切り替えずに、メインチャンネルのみを順次切り替える処理であっても良いし（例えば、「８−１」→「９−１」→「１０−１」）、メインチャンネル及びサブチャンネルを、サブチャンネル単位で順次切り替える処理であっても良い（例えば、「８−１」→「８−２」→「８−３」→「９−１」→…）。
【００３６】
一方、例えば、表示部１３において、全画面領域Ｆに映像が表示される一画面表示が行われている場合に、ユーザが、リモコン１の第１のチャンネルアップダウンキー１Ｋを操作する。すると、ＣＰＵ１４１は、第１のチャンネルアップダウンキー１Ｋの操作に基づいて、全画面領域Ｆのメインチャンネルを順次切り替える（例えば、「８−１」→「９−１」→「１０−１」）。当該メインチャンネルの切り替えにより、全画面領域Ｆには、異なるメインチャンネルのメイン映像が順次切り替えられて表示されることとなる。
また、同様に、表示部１３において、全画面領域Ｆに映像が表示される一画面表示が行われている場合に、ユーザが、リモコン１の第２のチャンネルアップダウンキー１Ｌを操作する。すると、ＣＰＵ１４１は、第２のチャンネルアップダウンキー１Ｌの操作に基づいて、全画面領域Ｆのサブチャンネルを順次切り替える（例えば、「８−１」→「８−２」→「８−３」）。当該サブチャンネルの切り替えにより、全画面領域Ｆには、異なるサブチャンネルのメイン映像が順次切り替えられて表示されることとなる。
なお、一画面表示が行われている場合における第２のチャンネルアップダウンキー１Ｌに基づくサブチャンネルの切替処理は、一のメインチャンネル内のサブチャンネルを繰り返し切り替える処理であっても良いし（例えば、「８−１」→「８−２」→「８−３」→「８−１」→…）、メインチャンネル及びサブチャンネルを、サブチャンネル単位で順次切り替える処理であっても良い（例えば、「８−１」→「８−２」→「８−３」→「９−１」→…）。
【００３７】
次に、図５及び図６のフローチャートを参照しながら、本実施形態１のテレビジョン受像機１００において、複数画面表示モード又は一画面表示モードが設定されている場合に実行されるチャンネル切替処理について説明する。
【００３８】
まず、図５のステップＳ１において、ＣＰＵ１４１は、設定記憶部１４４１に基づいて、複数画面表示モードが設定されているか否かを判断する。ＣＰＵ１４１は、ステップＳ１において、複数画面表示モードが設定されていると判断すると（ステップＳ１；Ｙｅｓ）、ステップＳ２に進み、設定されていないと判断すると、ステップＳ１０に進む。
【００３９】
ステップＳ２において、ＣＰＵ１４１は、リモコン１からのリモコン信号に基づいて、第１のチャンネルアップダウンキー１Ｋのチャンネルアップキーが押下されたか否かを判断する。ＣＰＵ１４１は、ステップＳ２において、第１のチャンネルアップダウンキー１Ｋのチャンネルアップキーが押下されたと判断すると（ステップＳ２；Ｙｅｓ）、ステップＳ３に進み、押下されていないと判断すると（ステップＳ２；Ｎｏ）、ステップＳ４に進む。ステップＳ３において、ＣＰＵ１４１は、チャンネルメモリ１４４２に基づいて、ディスプレイ全体に設けられた第１のウィンドウＡのチャンネルを一つ繰り上げ、ステップＳ１に戻る。
【００４０】
ステップＳ４において、ＣＰＵ１４１は、第１のチャンネルアップダウンキー１Ｋのチャンネルダウンキーが押下されたか否かを判断する。ＣＰＵ１４１は、ステップＳ４において、第１のチャンネルアップダウンキー１Ｋのチャンネルダウンキーが押下されたと判断すると（ステップＳ４；Ｙｅｓ）、ステップＳ５に進み、押下されていないと判断すると（ステップＳ４；Ｎｏ）、ステップＳ６に進む。ステップＳ５において、ＣＰＵ１４１は、ディスプレイ全体に設けられた第１のウィンドウＡのチャンネルを一つ繰り下げ、ステップＳ１に戻る。
【００４１】
ステップＳ６において、ＣＰＵ１４１は、第２のチャンネルアップダウンキー１Ｌのチャンネルアップキーが押下されたか否かを判断する。ＣＰＵ１４１は、ステップＳ６において、第２のチャンネルアップダウンキー１Ｌのチャンネルアップキーが押下されたと判断すると（ステップＳ６；Ｙｅｓ）、ステップＳ７に進み、押下されていないと判断すると（ステップＳ６；Ｎｏ）、ステップＳ８に進む。ステップＳ７において、ＣＰＵ１４１は、第１のウィンドウＡの一部に設けられた第２のウィンドウＢのチャンネルを一つ繰り上げ、ステップＳ１に戻る。
【００４２】
ステップＳ８において、ＣＰＵ１４１は、第２のチャンネルアップダウンキー１Ｌのチャンネルダウンキーが押下されたか否かを判断する。ＣＰＵ１４１は、ステップＳ８において、第２のチャンネルアップダウンキー１Ｌのチャンネルダウンキーが押下されたと判断すると（ステップＳ８；Ｙｅｓ）、ステップＳ９に進み、押下されていないと判断すると（ステップＳ８；Ｎｏ）、ステップＳ１に戻る。ステップＳ９において、ＣＰＵ１４１は、第１のウィンドウＡの一部に設けられた第２のウィンドウＢのチャンネルを一つ繰り下げ、ステップＳ１に戻る。
【００４３】
次に、図６のステップＳ１０において、ＣＰＵ１４１は、設定記憶部１４４１に基づいて、一画面表示モードが設定されているか否かを判断する。ＣＰＵ１４１は、ステップＳ１０において、複数画面表示モードが設定されていると判断すると（ステップＳ１０；Ｙｅｓ）、ステップＳ１１に進み、設定されていないと判断すると（ステップＳ１０；Ｎｏ）、ステップＳ１に戻る。
【００４４】
ステップＳ１１において、ＣＰＵ１４１は、リモコン１からのリモコン信号に基づいて、第１のチャンネルアップダウンキー１Ｋのチャンネルアップキーが押下されたか否かを判断する。ＣＰＵ１４１は、ステップＳ１１において、第１のチャンネルアップダウンキー１Ｋのチャンネルアップキーが押下されたと判断すると（ステップＳ１１；Ｙｅｓ）、ステップＳ１２に進み、押下されていないと判断すると（ステップＳ１１；Ｎｏ）、ステップＳ１３に進む。ステップＳ１２において、ＣＰＵ１４１は、メインチャンネルを一つ繰り上げ、ステップＳ１０に戻る。
【００４５】
ステップＳ１３において、ＣＰＵ１４１は、第１のチャンネルアップダウンキー１Ｋのチャンネルダウンキーが押下されたか否かを判断する。ＣＰＵ１４１は、ステップＳ１３において、第１のチャンネルアップダウンキー１Ｋのチャンネルダウンキーが押下されたと判断すると（ステップＳ１３；Ｙｅｓ）、ステップＳ１４に進み、押下されていないと判断すると（ステップＳ１３；Ｎｏ）、ステップＳ１５に進む。ステップＳ１４において、ＣＰＵ１４１は、メインチャンネルを一つ繰り下げ、ステップＳ１０に戻る。
【００４６】
ステップＳ１５において、ＣＰＵ１４１は、第２のチャンネルアップダウンキー１Ｌのチャンネルアップキーが押下されたか否かを判断する。ＣＰＵ１４１は、ステップＳ１５において、第２のチャンネルアップダウンキー１Ｌのチャンネルアップキーが押下されたと判断すると（ステップＳ１５；Ｙｅｓ）、ステップＳ１６に進み、押下されていないと判断すると（ステップＳ１５；Ｎｏ）、ステップＳ１７に進む。ステップＳ１６において、ＣＰＵ１４１は、サブチャンネルを一つ繰り上げ、ステップＳ１１に戻る。
【００４７】
ステップＳ１７において、ＣＰＵ１４１は、第２のチャンネルアップダウンキー１Ｌのチャンネルダウンキーが押下されたか否かを判断する。ＣＰＵ１４１は、ステップＳ１７において、第２のチャンネルアップダウンキー１Ｌのチャンネルダウンキーが押下されたと判断すると（ステップＳ１７；Ｙｅｓ）、ステップＳ１８に進み、押下されていないと判断すると（ステップＳ１７；Ｎｏ）、ステップＳ１１に戻る。ステップＳ１８において、ＣＰＵ１４１は、サブチャンネルを一つ繰り下げ、ステップＳ１に戻る。
【００４８】
以上説明した本実施形態１におけるテレビジョン受像機１００によれば、第１のデジタル放送信号を受信する第１チューナ４と、第２のデジタル放送信号を受信する第２チューナ５と、が備わり、ＣＰＵ１４１による映像表示プログラム１４５ａ（映像表示手段）の実行により、第１のデジタル放送信号に基づく映像が表示部１３における第１のウィンドウＡに表示されるとともに、第２のデジタル放送信号に基づく映像が表示部１３における第２のウィンドウＢに表示され、第１のチャンネルアップダウンキー１Ｋ（第１のアップダウンキー）及び第２のチャンネルアップダウンキー１Ｌ（第２のアップダウンキー）を備えるリモートコントローラ１（キー操作部）が備わり、第１制御プログラム１４５ｂ（第１制御手段）の実行により、第１のチャンネルアップダウンキー１Ｋ（第１のアップダウンキー）の操作に基づいて所定の制御が行われ、第２制御プログラム１４５ｃ（第２制御手段）の実行により、第２のチャンネルアップダウンキー１Ｌ（第２のアップダウンキー）の操作に基づいて所定の制御が行われる。また、第１制御プログラム１４５ｂ（第１制御手段）の実行により、第１のウィンドウＡに対する第１の制御が行われ、第２制御プログラム１４５ｃ（第２制御手段）の実行により、第２のウィンドウＢに対する第２の制御が行われる。
即ち、ユーザは、操作対象のウィンドウを選択するための操作を行うことなく、第１のウィンドウＡに対する操作と、第２のウィンドウＢに対する操作とを、それぞれ個別のキー操作により行うことができる。したがって、複数画面表示を行うテレビジョン受像機１００において、容易且つより少ない操作で第１のウィンドウＡと第２のウィンドウＢとに対する操作を行うことができることとなって、操作性が向上することとなる。
【００４９】
また、映像表示プログラム１４５ａの実行により、表示部１３における第１のウィンドウＡに第１のデジタル放送信号に基づく映像が表示されるとともに、第２のウィンドウＢに第２のデジタル放送信号に基づく映像が表示される複数画面表示が行われている場合に、第１制御プログラム１４５ｂ（第１制御手段）の実行により、第１のウィンドウＡに対して、チャンネルを順次切り替える制御が行われ、第２制御プログラム１４５ｃ（第２制御手段）の実行により、第２のウィンドウＢに対して、チャンネルを順次切り替える制御が行われる。
即ち、複数画面表示が行われている場合において、ユーザは、第１のウィンドウＡに対するチャンネル順次切替操作と、第２のウィンドウＢに対するチャンネル順次切替操作とを、それぞれ個別のキー操作により行うことができることとなる。したがって、複数画面表示を行うテレビジョン受像機１００におけるチャンネル切替操作の操作性が、より向上することとなる。
【００５０】
また、映像表示プログラム１４５ａの実行により、第１のデジタル放送信号に基づく一番組の映像が表示部１３における全画面領域Ｆに表示される一画面表示が行われている場合に、第１制御プログラム１４５ｂ（第１制御手段）の実行により、メインチャンネルを順次切り替える制御が行われ、第２制御プログラム１４５ｃ（第２制御手段）の実行により、サブチャンネルを順次切り替える制御が行われる。
したがって、一画面表示が行われている場合において、ユーザは、メインチャンネルを順次切り替える操作と、サブチャンネルを順次切り替える操作とを、それぞれ個別のキー操作により容易に行うことができることとなる。したがって、複数画面表示を行うテレビジョン受像機１００において、一画面表示が行われている場合であっても、チャンネル切替操作の操作性を向上させることができ、複数画面表示機能を備えるテレビジョン受像機１００における操作性が、より一層向上することとなる。
【００５１】
（実施形態２）
以下、本発明の実施形態２を、図面を参照しながら説明する。
実施形態２では、実施形態１と同様に、複数画面表示を行う映像表示装置として、２つの地上波デジタルチューナを搭載するテレビジョン受像機２００を例に説明を行う。
なお、本実施形態２の説明において、実施形態１と重複する部分には、同じ符号を付して、その説明を省略するものとする。
【００５２】
図７は、本実施形態２のテレビジョン受像機２００の要部構成を例示するブロック図である。
本体部２ａは、例えば、図７に示すように、リモコン１からのリモコン信号を受信するリモコン信号受光部３、第１のデジタル放送信号（第１の映像信号、デジタル放送信号）を受信する第１チューナ４、第２のデジタル放送信号（第２の映像信号、デジタル放送信号）を受信する第２チューナ５、第１チューナ４により受信された第１のデジタル放送信号を復調する第１復調部６、第２チューナ５により受信された第２のデジタル放送信号を復調する第２復調部７、第１復調部６により復調された第１のデジタル放送信号をデコードする第１デコーダ部８、第２復調部７により復調された第２のデジタル放送信号をデコードする第２デコーダ部９、第１デコーダ部８から入力される第１のデジタル放送信号に基づく映像信号に対して所定の映像処理を行うメイン映像処理部１０、第２デコーダ部９から入力される第２のデジタル放送信号に基づく映像信号に対して所定の映像処理を行うサブ映像処理部１１、メイン映像処理部１０から入力される第１のデジタル放送信号に基づく映像信号とサブ映像処理部１１から入力される第２のデジタル放送信号に基づく映像信号とを合成して表示部１３に出力する合成部１２、合成部１２から出力される映像信号に基づく映像を表示させる表示部１３、テレビジョン受像機２００全体を統括制御する制御部１５等を備えて構成されている。
【００５３】
制御部１５は、ＣＰＵ１５１、計時部１４２、ＲＡＭ１４３、ＥＥＰＲＯＭ１４４、ＲＯＭ１５３等を備えて構成されている。
【００５４】
ＣＰＵ１５１は、本体部２ａの各部から入力された入力信号や、リモコン１におけるキー操作によって入力された入力操作信号等に応じて、ＲＯＭ１５３に格納された各種プログラムを実行するとともに、実行にかかるプログラムに基づいて各部に出力信号を出力することにより、テレビジョン受像機２００の動作全般を統括制御する。
【００５５】
ＥＥＰＲＯＭ１５２は、例えば、設定記憶部１４４１、チャンネルメモリ１５２１（チャンネル記憶手段）、特定チャンネルメモリ１５２２（特定チャンネル記憶手段）を備える。
【００５６】
チャンネルメモリ１５２１は、本テレビジョン受像機２００において受信可能なチャンネルを記憶する。
【００５７】
特定チャンネルメモリ１５２２は、予め選択された特定チャンネルを記憶する。
特定チャンネルメモリ１５２２は、例えば、図８に示すように、ユーザにより予め選択された特定のチャンネルについて、各チャンネルの物理チャンネル、メインチャンネル、サブチャンネルを相互に対応づけて記憶する。この特定チャンネルは、例えば、ユーザが、任意のタイミングに、メニュー画面上等で選択したものである。
【００５８】
ＲＯＭ１５３は、プログラム格納エリアを備え、例えば、映像表示プログラム１４５ａ、第１制御プログラム１５３ａ、第２制御プログラム１５３ｂ等を格納している。
【００５９】
第１制御プログラム１５３ａは、例えば、ＣＰＵ１５１に、第１のチャンネルアップダウンキー（第１のアップダウンキー）１Ｋの操作に基づいて、所定の制御を行う機能を実現させるためのプログラムである。
本第１制御プログラム１５３ａは、表示部１３において一画面表示が行われている場合と、複数画面表示が行われている場合とで、異なる制御をＣＰＵ１５１に実行させる。
即ち、ＣＰＵ１５１は、第１制御プログラム１５３ａの実行において、映像表示プログラム１４５ａの実行により、表示部１３における第１のウィンドウＡに第１のデジタル放送信号に基づく映像が表示されるとともに、第２のウィンドウＢに第２のデジタル放送信号に基づく映像が表示される複数画面表示が行われている場合に、ユーザによる第１のチャンネルアップダウンキー１Ｋの操作に基づいて、第１のウィンドウＡに対してチャンネルを順次切り替える制御（第１の制御）を行う。
また、ＣＰＵ１５１は、第１制御プログラム１５３ａの実行において、映像表示プログラム１４５ａの実行により、第１のデジタル放送信号に基づく一番組の映像が表示部１３における全画面領域Ｆに表示される一画面表示が行われている場合に、ユーザによる第１のチャンネルアップダウンキー１Ｋの操作に基づいて、チャンネルメモリ１５２１（チャンネル記憶手段）に記憶されたチャンネルを順次切り替える制御を行う。
ＣＰＵ１５１は、かかる第１制御プログラム１５３ａを実行することにより、第１制御手段として機能する。
【００６０】
第２制御プログラム１５３ｂは、例えば、ＣＰＵ１５１に、第２のチャンネルアップダウンキー（第２のアップダウンキー）１Ｌの操作に基づいて、所定の制御を行う機能を実現させるためのプログラムである。
本第２制御プログラム１５３ｂは、表示部１３において一画面表示が行われている場合と、複数画面表示が行われている場合とで、異なる制御をＣＰＵ１５１に実行させる。
即ち、ＣＰＵ１５１は、第２制御プログラム１５３ｂの実行において、映像表示プログラム１４５ａの実行により、表示部１３における第１のウィンドウＡに第１のデジタル放送信号に基づく映像が表示されるとともに、第２のウィンドウＢに第２のデジタル放送信号に基づく映像が表示される複数画面表示が行われている場合に、第２のウィンドウＢに対してチャンネルを順次切り替える制御（第２の制御）を行う。
また、ＣＰＵ１５１は、第２制御プログラム１５３ｂの実行において、映像表示プログラム１４５ａの実行により、第１のデジタル放送信号に基づく一番組の映像が表示部１３における全画面領域Ｆに表示される一画面表示が行われている場合に、特定チャンネルメモリ１５２２（特定チャンネル記憶手段）に記憶された特定チャンネルを順次切り替える制御を行う。
ＣＰＵ１５１は、かかる第２制御プログラム１５３ｂを実行することにより、第２制御手段として機能する。
【００６１】
ここで、第１制御プログラム１５３ａ及び第２制御プログラム１５３ｂの実行により行われるチャンネル切替処理について、より具体的に説明する。
【００６２】
例えば、表示部１３において、第１のウィンドウＡと第２のウィンドウＢが設けられる複数画面表示が行われている場合に、ユーザが、リモコン１の第１のチャンネルアップダウンキー１Ｋを操作する。すると、ＣＰＵ１５１は、第１のチャンネルアップダウンキー１Ｋの操作に基づいて、ディスプレイ全体に設けられた第１のウィンドウＡのチャンネルを順次切り替える。当該チャンネル切り替えにより、第１のウィンドウＡには、異なるチャンネルのメイン映像が順次切り替えられて表示されることとなる。
また、同様に、表示部１３において、第１のウィンドウＡと第２のウィンドウＢが設けられる複数画面表示が行われている場合に、ユーザが、リモコン１の第２のチャンネルアップダウンキー１Ｌを操作する。すると、ＣＰＵ１５１は、第２のチャンネルアップダウンキー１Ｌの操作に基づいて、第１のウィンドウＡの一部に設けられた第２のウィンドウＢのチャンネルを順次切り替える。当該チャンネル切り替えにより、第２のウィンドウＢには、異なるチャンネルのサブ映像が順次切り替えられて表示されることとなる。
【００６３】
一方、例えば、表示部１３において、全画面領域Ｆに映像が表示される一画面表示が行われている場合に、ユーザが、リモコン１の第１のチャンネルアップダウンキー１Ｋを操作する。すると、ＣＰＵ１５１は、第１のチャンネルアップダウンキー１Ｋの操作に基づいて、本テレビジョン受像機２００において受信可能なチャンネルを記憶するチャンネルメモリ１５２１を参照し、このチャンネルメモリ１５２１に記憶されたチャンネルに基づいて、全画面領域Ｆのチャンネルを順次切り替える。当該チャンネルの切り替えにより、全画面領域Ｆには、チャンネルメモリ１５２１に記憶されているチャンネルの映像が、順次切り替えられて表示されることとなる。
なお、一画面表示が行われている場合における第１のチャンネルアップダウンキー１Ｋに基づくチャンネル切替処理は、サブチャンネルは切り替えずに、メインチャンネルのみを順次切り替える処理であっても良いし（例えば、「８−１」→「９−１」→「１０−１」）、メインチャンネル及びサブチャンネルを、サブチャンネル単位で順次切り替える処理であっても良い（例えば、「８−１」→「８−２」→「８−３」→「９−１」→…）。
また、同様に、表示部１３において、全画面領域Ｆに映像が表示される一画面表示が行われている場合に、ユーザが、リモコン１の第２のチャンネルアップダウンキー１Ｌを操作する。すると、ＣＰＵ１５１は、第２のチャンネルアップダウンキー１Ｌの操作に基づいて、予め選択された特定チャンネルを記憶する特定チャンネルメモリ１５２２を参照し、この特定チャンネルメモリ１５２２に記憶された特定チャンネルに基づいて、全画面領域Ｆの特定チャンネルを順次切り替える（例えば、「１−２」→「７−１」→「１１−１」→「２１−３」→…）。当該特定チャンネルの切り替えにより、全画面領域Ｆには、特定チャンネルに記憶されている、予めユーザにより選択された特定チャンネルの映像が、順次切り替えられて表示されることとなる。
【００６４】
次に、図５及び図９のフローチャートを参照しながら、複数画面表示モード又は一画面表示モードが設定されている場合に実行されるチャンネル切替処理について説明する。なお、図５におけるステップＳ１〜ステップＳ９の処理（即ち、複数画面表示モードが設定されている場合の処理）は、実施形態１において説明した処理と同様の処理であるため、ここでの説明は省略する。
【００６５】
図５に続く図９のステップＳ２１において、ＣＰＵ１５１は、設定記憶部１４４１に基づいて、一画面表示モードが設定されているか否かを判断する。ＣＰＵ１５１は、ステップＳ２１において、複数画面表示モードが設定されていると判断すると（ステップＳ２１；Ｙｅｓ）、ステップＳ２２に進み、設定されていないと判断すると（ステップＳ２１；Ｎｏ）、ステップＳ１に戻る。
【００６６】
ステップＳ２２において、ＣＰＵ１５１は、リモコン１からのリモコン信号に基づいて、第１のチャンネルアップダウンキー１Ｋのチャンネルアップキーが押下されたか否かを判断する。ＣＰＵ１５１は、ステップＳ２２において、第１のチャンネルアップダウンキー１Ｋのチャンネルアップキーが押下されたと判断すると（ステップＳ２２；Ｙｅｓ）、ステップＳ２３に進み、押下されていないと判断すると（ステップＳ２２；Ｎｏ）、ステップＳ２４に進む。ステップＳ２３において、ＣＰＵ１５１は、チャンネルメモリ１５２１に記憶された、本テレビジョン受像機２００において受信可能なチャンネルを一つ繰り上げ、ステップＳ２１に戻る。
【００６７】
ステップＳ２４において、ＣＰＵ１５１は、第１のチャンネルアップダウンキー１Ｋのチャンネルダウンキーが押下されたか否かを判断する。ＣＰＵ１５１は、ステップＳ２４において、第１のチャンネルアップダウンキー１Ｋのチャンネルダウンキーが押下されたと判断すると（ステップＳ２４；Ｙｅｓ）、ステップＳ２５に進み、押下されていないと判断すると（ステップＳ２４；Ｎｏ）、ステップＳ２６に進む。ステップＳ２５において、ＣＰＵ１５１は、チャンネルメモリ１５２１に記憶された、本テレビジョン受像機２００において受信可能なチャンネルを一つ繰り下げ、ステップＳ２１に戻る。
【００６８】
ステップＳ２６において、ＣＰＵ１５１は、第２のチャンネルアップダウンキー１Ｌのチャンネルアップキーが押下されたか否かを判断する。ＣＰＵ１５１は、ステップＳ２６において、第２のチャンネルアップダウンキー１Ｌのチャンネルアップキーが押下されたと判断すると（ステップＳ２６；Ｙｅｓ）、ステップＳ２７に進み、押下されていないと判断すると（ステップＳ２６；Ｎｏ）、ステップＳ２８に進む。ステップＳ２７において、ＣＰＵ１５１は、特定チャンネルメモリ１５２２に記憶された、予め選択された特定チャンネルを一つ繰り上げ、ステップＳ２１に戻る。
【００６９】
ステップＳ２８において、ＣＰＵ１５１は、第２のチャンネルアップダウンキー１Ｌのチャンネルダウンキーが押下されたか否かを判断する。ＣＰＵ１５１は、ステップＳ２８において、第２のチャンネルアップダウンキー１Ｌのチャンネルダウンキーが押下されたと判断すると（ステップＳ２８；Ｙｅｓ）、ステップＳ２９に進み、押下されていないと判断すると（ステップＳ２８；Ｎｏ）、ステップＳ２１に戻る。ステップＳ２９において、ＣＰＵ１５１は、特定チャンネルメモリ１５２２に記憶された、予め選択された特定チャンネルを一つ繰り下げ、ステップＳ２１に戻る。
【００７０】
以上説明した本実施形態２におけるテレビジョン受像機２００によれば、第１のデジタル放送信号を受信する第１チューナ４と、第２のデジタル放送信号を受信する第２チューナ５と、が備わり、ＣＰＵ１５１による映像表示プログラム１４５ａ（映像表示手段）の実行により、第１のデジタル放送信号に基づく映像が表示部１３における第１のウィンドウＡに表示されるとともに、第２のデジタル放送信号に基づく映像が表示部１３における第２のウィンドウＢに表示され、第１のチャンネルアップダウンキー１Ｋ（第１のアップダウンキー）及び第２のチャンネルアップダウンキー１Ｌ（第２のアップダウンキー）を備えるリモートコントローラ１（キー操作部）が備わり、第１制御プログラム１５３ａ（第１制御手段）の実行により、第１のチャンネルアップダウンキー１Ｋ（第１のアップダウンキー）の操作に基づいて所定の制御が行われ、第２制御プログラム１５３ｂ（第２制御手段）の実行により、第２のチャンネルアップダウンキー１Ｌ（第２のアップダウンキー）の操作に基づいて所定の制御が行われる。また、第１制御プログラム１５３ａ（第１制御手段）の実行により、第１のウィンドウＡに対する第１の制御が行われ、第２制御プログラム１５３ｂ（第２制御手段）の実行により、第２のウィンドウＢに対する第２の制御が行われる。
即ち、ユーザは、操作対象のウィンドウを選択するための操作を行うことなく、第１のウィンドウＡに対する操作と、第２のウィンドウＢに対する操作とを、それぞれ個別のキー操作により行うことができる。したがって、複数画面表示を行うテレビジョン受像機２００において、容易且つより少ない操作で第１のウィンドウＡと第２のウィンドウＢとに対する操作を行うことができることとなって、操作性が向上することとなる。
【００７１】
また、チャンネルメモリ１５２１（チャンネル記憶手段）により、当該テレビジョン受像機２００（映像表示装置）において受信可能なチャンネルが記憶され、特定チャンネルメモリ１５２２（特定チャンネル記憶手段）により、予め選択された特定チャンネルが記憶され、ＣＰＵ１５１による映像表示プログラム１４５ａ（映像表示手段）の実行により、第１のデジタル放送信号に基づく一番組の映像が表示部１３における全画面領域Ｆに表示される一画面表示が行われている場合に、第１制御プログラム１５３ａ（第１制御手段）の実行により、チャンネルメモリ１５２１（チャンネル記憶手段）に記憶されたチャンネルが順次切り替えられる制御が行われ、第２制御プログラム１５３ｂ（第２制御手段）の実行により、特定チャンネルメモリ１５２２（特定チャンネル記憶手段）に記憶された特定チャンネルを順次切り替える制御が行われる。
したがって、一画面表示が行われている場合において、ユーザは、チャンネルメモリ１５２１に記憶された、テレビジョン受像機２００において受信可能なチャンネルを順次切り替える操作と、特定チャンネルメモリ１５２２に記憶された、予め選択された特定チャンネルを順次切り替える操作とを、それぞれ個別のキー操作により容易に行うことができることとなる。したがって、複数画面表示を行うテレビジョン受像機２００において、一画面表示が行われている場合であっても、チャンネル切替操作の操作性を向上させることができ、複数画面表示機能を備えるテレビジョン受像機２００における操作性が、より一層向上することとなる。
【００７２】
なお、本発明は上記実施の形態に限られることなく、本発明の趣旨を逸脱しない範囲において、種々の改良並びに設計の変更を行っても良い。
例えば、映像表示装置は、テレビジョン受像機に限られることなく、ディスプレイ装置に接続されたＳＴＢ(Set Top Box)やＤＶＤプレーヤ・レコーダ等であっても良い。また、映像表示装置は、地上波テレビジョン放送の他、衛星放送、ケーブル放送等の受信及び表示が可能であっても良い。
また、例えば、映像表示装置において実現される複数画面表示は、ＰＩＰ表示に限られず、ＰＯＰ表示や、分割画面表示等であっても良い。また、本体部２、２ａのメイン映像処理部１０には、ＰＩＰ表示以外の複数画面表示（例えば、ＰＯＰ表示等）が可能なように、別途スケーラを設けられていても良い。更に、複数画面表示の実行において、表示部１３に設けられるウィンドウの数は、２つに限られることなく、３つ以上であって良い。
また、第１のアップダウンキー及び第２のアップダウンキーの各々は、複数画面表示モードにおいて、各ウィンドウのチャンネルを切り替えるためのチャンネルアップダウンキーに限られず、例えば、各ウィンドウの画質・音量等を調整するためのキーであっても良い。また、複数画面表示モードにおいて、各ウィンドウに対して別々の処理を行うキーであっても良い。
また、ディスプレイ全体に設けられるウィンドウを第２のウィンドウＢとし、第２のウィンドウＢの一部に設けられるウィンドウを第１のウィンドウＡとしても良い。或いは、第１制御手段及び第２制御手段による処理が、第２のウィンドウＢを対象として行われても良い。
また、一画面表示モードでは、第１のデジタル放送信号の代わりに、第２のデジタル放送信号に基づく一番組の映像を、ディスプレイ全体の全画面領域Ｆに表示させるように構成しても良い。  
【図面の簡単な説明】
【００７３】
【図１】実施形態１におけるテレビジョン受像機の要部構成を例示するブロック図である。
【図２】リモートコントローラの平面図である。
【図３】表示部において行われる複数画面表示（図３（ａ））及び一画面表示（図３（ｂ））を説明するための図である。
【図４】実施形態１のテレビジョン受像機に備わるチャンネルメモリを例示する図である。
【図５】実施形態１のテレビジョン受像機及び実施形態２のテレビジョン受像機において実行されるチャンネル切替処理を示すフローチャートである。
【図６】実施形態１のテレビジョン受像機において実行されるチャンネル切替処理を示すフローチャートである。
【図７】実施形態２におけるテレビジョン受像機の要部構成を例示するブロック図である。
【図８】実施形態２のテレビジョン受像機に備わる特定チャンネルメモリを例示する図である。
【図９】実施形態２のテレビジョン受像機において、複数画面表示モード又は一画面表示モードが設定されている場合に実行されるチャンネル切替処理を示すフローチャートである。
【符号の説明】
【００７４】
１００    テレビジョン受像機（映像表示装置）
１        リモートコントローラ（キー操作部）
１Ｋ      第１のチャンネルアップダウンキー（第１のアップダウンキー）
１Ｌ      第２のチャンネルアップダウンキー（第２のアップダウンキー）
４        第１チューナ
５        第２チューナ
１３      表示部
１４１    ＣＰＵ（映像表示手段、第１制御手段、第２制御手段）
１４５ａ  映像表示プログラム（映像表示手段）
１４５ｂ  第１制御プログラム（第１制御手段）
１４５ｃ  第２制御プログラム（第２制御手段）
２００    テレビジョン受像機（映像表示装置）
１５１    ＣＰＵ（映像表示手段、第１制御手段、第２制御手段）
１５２１  チャンネルメモリ（チャンネル記憶手段）
１５２２  特定チャンネルメモリ（特定チャンネル記憶手段）
１５３ａ  第１制御プログラム（第１制御手段）
１５３ｂ  第２制御プログラム（第２制御手段）
Ａ        第１のウィンドウ
Ｂ        第２のウィンドウ
Ｆ        全画面領域 
【図１】
2009141424.tif 000003
【図２】
2009141424.tif 000004
【図３】
2009141424.tif 000005
【図４】
2009141424.tif 000006
【図５】
2009141424.tif 000007
【図６】
2009141424.tif 000008
【図７】
2009141424.tif 000009
【図８】
2009141424.tif 000010
【図９】
2009141424.tif 000011